(57)【要約】【課題】接着剤が硬化するまでの間排水継手を排水筒に仮保持して排水継手に設けたフランジ部が軒天井の下面から離れないようにできる。【解決手段】排水継手１の上部に上接続筒部２を設ける。排水継手１の上接続筒部２の下部にフランジ部３を周設する。フランジ部３の上面部の突出基部付近から上方に向けて複数の腕４を突設する。腕４の上端部を上接続筒部２の上端よりも上方に突出させると共に腕４の上端部に内方に突出する係止突部５を設ける。バルコニー６を上下方向に貫通する排水筒７をバルコニー６の下面の軒天井８に設けた孔９に対向させる。該排水筒７の下部に排水継手１の上接続筒部２を嵌め込んでフランジ部３を軒天井８の下面に当接して軒天井８の孔９を遮蔽するとともに複数の係止突部５を排水筒７の外面部に押圧させ、排水筒７の下部と上接続筒部２とを接着剤１０で接着する。【選択図】　　　　図１
2004076340.tif 000002
【特許請求の範囲】
【請求項１】
排水継手の上部に上接続筒部を設け、排水継手の上接続筒部の下部にフランジ部を周設し、フランジ部の上面部の突出基部付近から上方に向けて複数の腕を突設し、該腕の上端部を上接続筒部の上端よりも上方に突出させると共に腕の上端部に内方に突出する係止突部を設け、バルコニーを上下方向に貫通する排水筒をバルコニーの下面の軒天井に設けた孔に対向させ、該排水筒の下部に排水継手の上接続筒部を嵌め込んでフランジ部を軒天井の下面に当接して軒天井の孔を遮蔽するとともに複数の係止突部を排水筒の外面部に押圧させ、排水筒の下部と上接続筒部とを接着剤で接着して成ることを特徴とするバルコニーバルコニーを貫通する排水筒への排水継手の接続構造。
【発明の詳細な説明】
【０００１】
【発明の属する技術分野】
本発明は、バルコニーを貫通する排水筒への継手の接続構造に関するものである。
【０００２】
【従来の技術】
従来、バルコニー６からの排水を行うための排水構造は図３、図４のようになっている。すなわち、バルコニー６の床に排水ドレインのような排水部（図示せず）を設け、バルコニー６を上下に貫通する排水筒７の上端部を上記バルコニー６の床の排水部に接続し、この排水筒７の下端部をバルコニー６の軒天井８に設けた孔９に挿通し、上端部にフランジ部２１を有する軒天ソケット２０の筒部２２の上部を排水筒７の下端部に嵌め込んでフランジ部２１を軒天井８の下面に当接して軒天井８の孔９を遮蔽するとともに接着剤１０で軒天ソケット２０の筒部２２を排水筒７の下端部に接着していた。このようにして排水筒７に接着して接続した軒天ソケット２０の下部にはエルボ等が接続されるようになっている。
【０００３】
ところで、上記の従来例にあっては、軒天ソケット２０の筒部２２の上部を排水筒７の下端部に嵌め込んで接着剤１０により接着するに当たって、接着剤１０が硬化するまでの間に軒天ソケット２０が下方にずれるとフランジ部２１が軒天井８から下方に離れて軒天井８の下面との間に隙間が生じて見苦しくなり、また、軒天ソケット２０が下方に下がると接着不良となって目的とする接着強度が得られないと共に接続部分から水漏れが生じ、軒天井８に水漏れによる染みが発生するといった問題がある。
【０００４】
【発明が解決しようとする課題】
本発明は上記の点に鑑みてなされたものであり、排水筒に排水継手を嵌め込んで接着するに当たり、接着剤が硬化するまでの間排水継手を排水筒に仮保持して排水継手に設けたフランジ部が軒天井の下面から離れないようにでき、また軒天井に水漏れによる染みが生じたりしないバルコニーを貫通する排水筒への排水継手の接続構造を提供することを課題とするものである。
【０００５】
【課題を解決するための手段】
上記課題を解決するために本発明に係るバルコニーを貫通する排水筒への排水継手の接続構造は、排水継手１の上部に上接続筒部２を設け、排水継手１の上接続筒部２の下部にフランジ部３を周設し、フランジ部３の上面部の突出基部付近から上方に向けて複数の腕４を突設し、該腕４の上端部を上接続筒部２の上端よりも上方に突出させると共に腕４の上端部に内方に突出する係止突部５を設け、バルコニー６を上下方向に貫通する排水筒７をバルコニー６の下面の軒天井８に設けた孔９に対向させ、該排水筒７の下部に排水継手１の上接続筒部２を嵌め込んでフランジ部３を軒天井８の下面に当接して軒天井８の孔９を遮蔽するとともに複数の係止突部５を排水筒７の外面部に押圧させ、排水筒７の下部と上接続筒部２とを接着剤１０で接着して成ることを特徴とするものである。
【０００６】
このような構成とすることで、排水筒７の下部に排水継手１の上接続筒部２を嵌め込んでフランジ部３を軒天井８の下面に当接して軒天井８の孔９を遮蔽した状態で排水筒７の下部と上接続筒部２とを接着する接着剤１０が硬化するまでの間、係止突部５の排水筒７の外面部への押圧により排水継手１が下方にずれるのを防止し、フランジ部３と軒天井８の下面との間に隙間が生じないようにできるものである。
【０００７】
【発明の実施の形態】
以下、本発明を添付図面に示す実施形態に基づいて説明する。
【０００８】
建物のバルコニー６の床には排水ドレインのような排水部（図示せず）が設けてあり、バルコニー６を上下に貫通する排水筒７の上端部が排水部に接続してあり、排水筒７の下端部がバルコニー６の軒天井８に設けた孔９に対向している。排水筒７は添付図面に示す実施形態では合成樹脂の円筒体により構成してある。
【０００９】
排水継手１は合成樹脂により形成してあり、上部が円筒状をした上接続筒部２となり、下部が角筒状をした下接続筒部１１となっており、上接続筒部２の下部外周にはフランジ部３が一体に周設してある。このフランジ部３の上面部の突出基部付近から上方に向けて複数の腕４を突設してある。複数の腕４は上接続筒部２の外面からやや離れて上接続筒部２を囲むように複数設けてある。腕４の上端部は上接続筒部２の上端よりも上方に突出しており、この腕４の上端部に内方に向けて係止突部５を設けてある。係止突部５の上端面は内側程下となるような傾斜面５ａとなっている。このように上端部に係止突部５を設けた腕４は弾性を有している。
【００１０】
バルコニー６を上下に貫通するように設けられた排水筒７の下部に排水継手１の上接続筒部２を接続するには以下のようにして行う。すなわち、排水筒７の下端部の外面、排水継手１の上接続筒部２の内面のいずれか一方又は両方に接着剤１０を塗布し、次に、バルコニー６の軒天井８の孔８に対向している排水筒７の下部に軒天井８の下方から排水継手１の上接続筒部２を嵌め込んでフランジ部３を軒天井８の下面に当接して軒天井８の孔９を遮蔽する。この状態で複数の係止突部５を排水筒７の外面部に弾性的に押圧させて排水筒７に排水継手１を仮支持させて、接着剤１０が未硬化の間に排水筒７に対して排水継手１が下方にずれてフランジ部３が軒天井８の下面から離れることがないようにするものである。そして、接着剤１０が硬化することで、排水筒７の下部と排水継手１の上接続筒部２とが接着して接合するものである。これによりフランジ部７が軒天井８の下面に当接して軒天井８の孔９の閉塞が確実に行われることになる。
【００１１】
このようにしてバルコニー６を上下に貫通するように設けたられた排水筒７に接着剤１０により接続された排水継手１には該排水継手１の下部の下接続筒部１１にエルボ、あるいは縦樋が接続されるものであり、バルコニー６の床の排水を行うに当たっては、バルコニー６の床に設けたドレインのような排水部から排水筒７を経て排水継手１に流れ、排水継手１からエルボ、縦樋等に排水するものである。なお、添付図面に示す実施形態では下接続筒部１１が断面角筒状をしているので、これに接続するエルボや縦樋は断面角筒状のものであるが、下接続筒部１１が断面円筒状の場合にはエルボや縦樋は断面円筒状のものを接続する。
【００１２】
この場合、排水筒７と排水継手１とは接着剤１０で接着してあるので接続部分からの水漏れがなく、したがって、軒天井８部分から水漏れが生じたりしないものであり、特に、排水筒７と排水継手１とは接着剤１０で接着するに当たって、接着剤１０が未硬化の間、係止突部５を排水筒７の外面部に弾性的に押圧させて排水筒７に排水継手１を仮支持できるので、接着剤１０が未硬化の時に排水継手１が排水筒７から下方にずれて接着不良となるようなことがなく、接続強度が低下しないだけでなく、接着不良による水漏れが生じないものである。
【００１３】
【発明の効果】
上記のように本発明にあっては、排水継手の上部に上接続筒部を設け、排水継手の上接続筒部の下部にフランジ部を周設し、フランジ部の上面部の突出基部付近から上方に向けて複数の腕を突設し、該腕の上端部を上接続筒部の上端よりも上方に突出させると共に腕の上端部に内方に突出する係止突部を設け、排水筒の下部に排水継手の上接続筒部を嵌め込んでフランジ部を軒天井の下面に当接して軒天井の孔を遮蔽するとともに複数の係止突部を排水筒の外面部に押圧させるので、排水筒の下部と上接続筒部とを接着する接着剤が硬化するまでの間、係止突部の排水筒の外面部への押圧により排水継手が下方にずれるのを防止し、フランジ部と軒天井の下面との間に隙間が生じないようにでき、フランジ部によって軒天井の孔を確実に遮蔽できて外観よくすることができるものであり、また、接着剤が未硬化の時に排水継手が排水筒から下方にずれて接着不良となるようなことがなく、接続強度が低下しないだけでなく、接着不良による水漏れが生じないものであり、軒天井部分から水漏れが発生して軒天井に水漏れ染みがつくといったようなことがないものである。
【図面の簡単な説明】
【図１】本発明の断面図である。
【図２】同上に用いる排水継手の斜視図である。
【図３】従来例を示す斜視図である。
【図４】従来例の断面図である。
【符号の説明】
１　排水継手
２　上接続筒部
３　フランジ部
４　腕
５　係止突部
６　バルコニー
７　排水筒
８　軒天井
９　孔
１０　接着剤
【図１】
2004076340.tif 000003
【図２】
2004076340.tif 000004
【図３】
2004076340.tif 000005
【図４】
2004076340.tif 000006